(57)【特許請求の範囲】
【請求項１】
便座を基端部において回動可能に保持する便座保持部材としての本体ボックスを備え、ノズルから洗浄水を噴射して人体局部を洗浄する局部洗浄装置を該本体ボックスにおいて便器本体に取り付ける取付構造であって、
前記本体ボックスの底部を構成するベースプレートとは別体をなす取付用プレートを用い、該取付用プレートを該本体ボックスに固定した上、該取付用プレートを、前記便器本体の後部上面と、該後部上に載置され、それら本体ボックス及び取付用プレートに対し別体をなし、該本体ボックスとは独立して該便器本体に取付可能な洗浄タンクとの間に挿し込んだ状態として、該洗浄タンクと該便器本体とをそれら洗浄タンクと便器本体とで該取付用プレートを上下から挟み付ける状態に締結固定することで、前記本体ボックスを該取付用プレートを介して前記便器本体に取付固定するようになしたことを特徴とする局部洗浄装置の取付構造。
【請求項２】
請求項１に記載の局部洗浄装置の取付構造において、前記本体ボックスの下面から下向きに突き出させたボルトを前記取付用プレートの下面側に挿通して、該取付用プレートの下面側で該ボルトにナットを締め込んでそれら本体ボックスと取付用プレートとを固定し、且つ該ナットを前記便器本体に備えられている固定穴内部に納める状態に前記取付用プレートを固定するようになしたことを特徴とする局部洗浄装置の取付構造。
【請求項３】
請求項２に記載の局部洗浄装置の取付構造において、前記便器本体の固定穴が、前記本体ボックスをボルト及びナットにて該便器本体に固定するためのものとして該便器本体に備えられているものであることを特徴とする局部洗浄装置の取付構造。
【発明の詳細な説明】
【０００１】
【発明の属する技術分野】
この発明は局部洗浄装置の取付構造に関し、特に人体局部洗浄のための局部洗浄装置の盗難,悪戯防止用として好適な局部洗浄装置の取付構造に関する。
【０００２】
【従来の技術】
従来、ノズルから洗浄水を人体局部に噴射して局部洗浄を行う局部洗浄装置の本体ボックスを便座の保持部材として構成し、そしてその本体ボックス内部に局部洗浄装置の各種機構部を内蔵させるとともに、本体ボックスにて便座の基端部を回動可能に保持させ、その本体ボックスを便器本体に取付固定することで、局部洗浄装置を便座とともに便器本体に装着することが行われている。
【０００３】
図７はその一例を示したものである。同図（Ａ）において、２００は陶器製の便器本体で、２０２は便座，２０４は便蓋である。
２０６はノズル（図示省略）から人体局部に洗浄水を噴射する局部洗浄装置で本体ボックス２０８を有しており、その本体ボックス２０８内部に各種機構部が内蔵されている。
【０００４】
尚、２１０は本体ボックス２０８に設けられた袖部であって上面に操作部が設けられている。
本体ボックス２０８は、便座２０２及び便蓋２０４の保持部材を兼ねており、それら便座２０２及び便蓋２０４を基端部において回動可能に保持している。
【０００５】
図７（Ｂ）において、２１２は本体ボックス２０８におけるベースプレートで、その下面からボルト２１４が下向に突き出している。
ボルト２１４は、便器本体２００に設けられた、対応する固定穴２１６を貫通して下側に突き出し、その突き出した端部にナット２１８がパッキン２２０及びワッシャ２２２を介して締め込まれることで、本体ボックス２０８、つまり局部洗浄装置２０６が便座２０２及び便蓋２０４とともに便器本体２００に装着されている。
【０００６】
【発明が解決しようとする課題】
しかしながらこの取付構造の場合、ナット２１８を外すことによって便座保持部材としての本体ボックス２０８、つまり局部洗浄装置２０６が便座２０２等とともに外される可能性があり、特に公共トイレ等においてはそれらが盗難或いは悪戯によって持ち去られるといった恐れがあった。
【０００７】
【課題を解決するための手段】
本願の発明の取付構造はこのような課題を解決するために案出されたものである。
而して請求項１のものは、便座を基端部において回動可能に保持する便座保持部材としての本体ボックスを備え、ノズルから洗浄水を噴射して人体局部を洗浄する局部洗浄装置を該本体ボックスにおいて便器本体に取り付ける取付構造であって、前記本体ボックスの底部を構成するベースプレートとは別体をなす取付用プレートを用い、該取付用プレートを該本体ボックスに固定した上、該取付用プレートを、前記便器本体の後部上面と、該後部上に載置され、それら本体ボックス及び取付用プレートに対し別体をなし、該本体ボックスとは独立して該便器本体に取付可能な洗浄タンクとの間に挿し込んだ状態として、該洗浄タンクと該便器本体とをそれら洗浄タンクと便器本体とで該取付用プレートを上下から挟み付ける状態に締結固定することで、前記本体ボックスを該取付用プレートを介して前記便器本体に取付固定するようになしたことを特徴とする。
【０００８】
請求項２のものは、請求項１に記載の局部洗浄装置の取付構造において、前記本体ボックスの下面から下向きに突き出させたボルトを前記取付用プレートの下面側に挿通して、該取付用プレートの下面側で該ボルトにナットを締め込んでそれら本体ボックスと取付用プレートとを固定し、且つ該ナットを前記便器本体に備えられている固定穴内部に納める状態に前記取付用プレートを固定するようになしたことを特徴とする。
【０００９】
請求項３のものは、請求項２に記載の局部洗浄装置の取付構造において、前記便器本体の固定穴が、前記本体ボックスをボルト及びナットにて該便器本体に固定するためのものとして該便器本体に備えられているものであることを特徴とする。
【００１０】
【作用及び発明の効果】
上記のように請求項１の取付構造は、便座保持部材としての本体ボックスに取付用プレートを固定し、そしてその取付用プレートを便器本体の後部上面と、それら本体ボックス及び取付用プレートに対し別体をなし、本体ボックスとは独立して便器本体に取付可能な洗浄タンクとの間に挿し込んだ状態で、洗浄タンクと便器本体とをそれら洗浄タンクと便器本体とで取付用プレートを上下から挟み付ける状態に締結固定することで、本体ボックスを取付用プレートを介して便器本体側に取付固定するようになしたもので、この取付構造の場合、施工現場において本体ボックスを直接便器本体に固定する必要はなく、予め本体ボックスに固定した取付用プレートを便器本体に固定するだけで、本体ボックスを便器本体に固定作業することができる。
【００１１】
而してその取付用プレートは便器本体の後部上面と洗浄タンクとの間に挟み込まれた状態で固定されるため、本体ボックスを取り外すためには洗浄タンクを一旦取り外すことが必要である。
しかしながら洗浄タンクの取外しは簡単には行い得ず、従ってこの請求項１の取付構造によれば、便座保持部材としての本体ボックスが悪戯によって取り外されてしまうといったことを効果的に防止することができる。
【００１２】
ここにおいて本体ボックスと取付用プレートとの固定は、本体ボックスの下面から下向きに突き出させたボルトを取付用プレートの下面側に挿通して、その下面側でナットを締めこむことで行うことができる。
【００１３】
而してそのナットを便器本体の固定穴の内部に納める状態で上記取付用プレートを固定するようにしておけば、本体ボックスが取付用プレートから外される恐れがなく、本体ボックスが便座や局部洗浄装置等とともに盗難されたり、悪戯によって外されたりする恐れを確実に無くすことができる（請求項２）。
【００１４】
ところで便器本体には便座保持部材としての本体ボックスを固定するための固定穴が元々備えられている。
ここにおいて請求項３の取付構造は、本体ボックスの固定用として便器本体に元々備えられている固定穴を利用して、その内部に本体ボックスと取付用プレートとを固定するためのナットを納めるようにしたもので、このようにすればナットを納めるための固定穴を便器本体に別途に設ける必要がない利点が得られる。
【００１５】
【実施例】
次に本発明の実施例を図面に基づいて詳しく説明する。
図１ないし図３において、１０は陶器製の便器本体で、その後部上面に陶器製の洗浄タンク１２が載置された状態で便器本体１０の後部に締結固定されている。
１４，１６はそれぞれ便座及び便蓋で、２０はノズル２２から人体局部に洗浄水を噴射する局部洗浄装置である。
【００１６】
２４はその局部洗浄装置２０における本体ボックスで、内部に各種機構部が内蔵されている。
この本体ボックス２４は袖部２３を有しており、その袖部２３の上面に操作部２５が設けられている。
本体ボックス２４は、便座１４及び便蓋１６の保持部材として構成されており、それら便座１４及び便蓋１６の各基端部が、本体ボックス２４により上下に回動可能に保持されている。
【００１７】
本例において、本体ボックス２４は取付用プレート２６を介して便器本体１０に固定されている。
即ち便座１４，便蓋１６及び局部洗浄装置２０が一体的に便器本体１０に取付用プレート２６を介して取付固定されている。
【００１８】
本体ボックス２４には、その下面から下向きに突き出す状態で一対のボルト２８が装着されている。
具体的には、本体ボックス２４の底部を構成するベースプレートには、ボルト２８の四角形状の頭部３０を出入れ可能な開口部３２とこれに続く、頭部３０よりも溝幅の狭い溝部３４とを有するボルト装着穴３６が形成されており、そのボルト装着穴３６における溝部３４の部分から一対のボルト２８が下向きに突き出している。
【００１９】
一方取付用プレート２６の前端部には、前後方向の長穴状を成す挿通孔（第一の挿通孔）３８が２箇所に設けられており、上記一対のボルト２８がそれら挿通孔３８を挿通している。
そしてそれらボルト２８に対し、取付用プレート２６の下面側でナット４２がボルト２８に螺合されており、それらボルト３０及びナット４２にて本体ボックス２４と取付用プレート２６とが固定されている。
【００２０】
尚、取付用プレート２６における挿通孔３８が前後方向の長穴とされているのは、ボルト２８及びナット４２による取付用プレート２６と本体ボックス２４との固定位置を前後方向に調整できるようにするためである。
【００２１】
ナット４２は、図１（Ｂ）に詳しく示しているように陶器製の便器本体１０の固定穴４０内部に納められている。
ここで固定穴４０は、本体ボックス２４を便器本体１０にボルト２８を用いて固定するために予め備えられているものである。
【００２２】
即ち、従来にあってはこのボルト２８に対して固定穴４０の下側においてナット４２をワッシャ等を介して締め付けることで本体ボックス２４を便器本体１０に固定していた。
本例では、その固定穴４０をナット４２を納めるための穴として利用している。
【００２３】
一方取付用プレート２６の後端部には、洗浄タンク１２からの洗浄水を便器本体１０に導くための管端部４６と洗浄タンク１２とを接続するための円形の開口４８と、第二の挿通孔５０とが設けられている。
而して取付用プレート２６は、図１，図３及び図４に示しているように便器本体１０の後部上面と洗浄タンク１２の下面とで挟み込まれるようにして便器本体１０に固定されている。
【００２４】
詳しくは、洗浄タンク１２の底面からはボルト５２が下向きに突き出していて、このボルト５２が取付用プレート２６の挿通孔５０及び便器本体後部の固定穴５６を挿通した上で、そのボルト５２に対し下側からナット５４がワッシャ５８を介して締め付けられることで、洗浄タンク１２と便器本体１０とが固定されており、同時に取付用プレート２６がそれら便器本体１０の後部と洗浄タンク１２とで挟み付けられる状態に便器本体１０に固定されている。
【００２５】
そしてこれにより局部洗浄装置２０の本体ボックス２４が、便座１４及び便蓋１６とともに取付用プレート２６を介して便器本体１０に固定されている。
尚このとき、本体ボックス２４と取付用プレート２６とを固定するためのナット４２が、便器本体１０の固定穴４０内部に納まった状態となることは前述した通りである。
【００２６】
本例の取付構造の場合、図５（Ｉ）に示しているようにボルト２８を便座保持部材としての局部洗浄装置２０の本体ボックス２４に装着し、更にそのボルト２８を取付用プレート２６の前端部の挿通孔３８を挿通させた上で、その裏側（下面側）からナット４２を締め込んで、予め取付用プレート２６を本体ボックス２４に固定状態としておく。
図５（II）はこのときの状態を示している。
【００２７】
次いで図６（III）に示しているように、本体ボックス２４及び取付用プレート２６を便器本体１０の上面に載置し、その状態で洗浄タンク１２を便器本体１０の後部上面に、ボルト５２及びナット５４を用いて締結固定することで、本体ボックス２４、即ち局部洗浄装置２０を便座１４及び便蓋１６とともに取付用プレート２６を介して便器本体１０に取付固定することができる（図６(VI））。
【００２８】
本例の取付構造においては、取付用プレート２６が便器本体１０の後部上面と洗浄タンク１２との間に挟み込まれた状態で固定されるため、局部洗浄装置２０を取り外すためには洗浄タンク１２を一旦取り外すことが必要であるが、洗浄タンク１２の取外しは簡単には行い得ず、従って本例の取付構造によれば、局部洗浄装置２０が悪戯によって取り外されてしまうといったことを効果的に防止することができる。
【００２９】
而して局部洗浄装置２０の本体ボックス２４と取付用プレート２６との固定は、本体ボックス２４の下面から下向きに突き出させたボルト２８を取付用プレート２６の下面側に挿通して、その下面側でナット４２を締め込むことで行っており、またそのナット４２は便器本体１０の固定穴４０内部に納められた状態となるから、局部洗浄装置２０が取付用プレート２６から外される恐れもない。
【００３０】
以上本発明の実施例を詳述したがこれはあくまで一例示である。
本発明はその主旨を逸脱しない範囲において種々変更を加えた形態で構成可能である。
【図面の簡単な説明】
【図１】  本発明の一実施例である取付構造に従って局部洗浄装置を取り付けた状態を示す図である。
【図２】  図１の取付構造を各部材に分解して示す図である。
【図３】  図２の要部を更に拡大して示す図である。
【図４】  同じ実施例の取付構造の要部断面図である。
【図５】  同じ実施例の取付構造の取付手順の一部を示す図である。
【図６】  図５に続く取付手順を示す図である。
【図７】  従来の便座保持部材の取付構造を示す図である。
【符号の説明】
１０  便器本体
１２  洗浄タンク
１４  便座
２０  局部洗浄装置
２２  ノズル
２４  本体ボックス
２６  取付用プレート
２８  ボルト
４０  固定穴
４２  ナット
【図１】
0003936730.tif 000002
【図２】
0003936730.tif 000003
【図３】
0003936730.tif 000004
【図４】
0003936730.tif 000005
【図５】
0003936730.tif 000006
【図６】
0003936730.tif 000007
【図７】
0003936730.tif 000008